(57)【特許請求の範囲】
【請求項１】
周縁部よりカバー受け部を垂下し、下面にランプソケットを含む点灯装置を設けた器具本体と、周側部の縁部が前記カバー受け部の内側に位置して前記点灯装置の前面側を覆うように前記器具本体の下面に着脱自在に取付けられるカバーと、前記カバーを前記器具本体に取付けるつまみねじとを備え、
前記器具本体は天井に直付けする平面板により形成され、前記カバー受け部は前記器具本体の周縁部を折曲した垂下片と、前記垂下片および前記器具本体の周縁部を被覆するパッキンにより形成され、
前記点灯装置は前記平面板の下面の中央に取付けられた安定器と、前記ランプソケットとを有し、前記安定器を覆う断面山形部を形成した反射板を前記器具本体の下面に設け、前記反射板の前側で前記断面山形部の近傍に前記ランプソケットを設置し、
前記器具本体の前記カバー受け部の内側にカバー取付部を有し、前記カバー取付部に前記つまみねじをねじ込むねじ孔を有し、
前記カバーの前記周側部は、外面形状において、前記反射板の前記断面山形部、前記ランプソケットおよび前記ランプソケットに装着されたランプに近い周囲を覆う側面部と、前記側面部の上部より外向きの水平方向成分をもった面をなす段部とを有し、前記ねじ孔に対向して前記つまみねじの先端を通す取付孔を前記段部に形成し、
前記周側部の縁部が前記段部の縁部側より前記垂下片のパッキンの内側に密着嵌合するように垂直に立ち上がり、前記段部の前記縁部側が前記垂下片の先端の前記パッキンの表面にほぼ同じ高さで連続し、
前記カバーの前記周側部および前記つまみねじの後端のつまみ部が前記器具本体の鉛直投影面内にあり、かつ、前記器具本体および前記カバーからなる器具外郭の表面の外形が一つの平面を連続的に移動させることにより形成された形状となっている照明器具。
【発明の詳細な説明】
【０００１】
【発明の属する技術分野】
この発明は、照明器具に関するものである。
【０００２】
【従来の技術】
従来例を図７に示す。すなわち、図７（ａ）は天井取付用の器具本体５０にカバー５１が着脱自在に取付けられた構造であるが、器具本体５０の周縁部５０ａよりも外方にカバー５１の周縁部５１ａが出るように取付けられている。このため、カバー５１に上面に向いた水平面５４が形成されている。
【０００３】
図７（ｂ）は壁面５２に取付けた器具本体５０にカバー５１を外被してつまみ５３により取付けている。このため、上面に向いた略水平面５４がカバー５１の上側面に形成されている。
【０００４】
図７（ｃ）は器具本体５０の周縁の垂下部５０ｂの内側にカバー５１の周縁部が位置して取付けられているが、カバー５１の周側部５１ｂすなわちメンテナンス時に着脱する部分の外面が上方に向かうに従って矢印のように両方向（外向きと内向き）に水平方向成分をもった面で形成されている。このため、カバー５１の側面に上方に向いた水平面５４が形成されている。
【０００５】
図７（ｄ）は器具本体５０およびカバー５１からなる器具外郭の周側面をなす４側面５５ａ〜５５ｄの面同志が鋭角で角部をもってつながっており、なめらかな鈍角の曲面でつながれていない。図７（ｅ）はその横断面が同図（ｆ）のように半円弧状で、縦断面（長手方向断面）が同図（ｇ）のように水平部の両端に垂直部のある形状であり、器具本体とカバーとで構成される器具外郭部が、異なる断面形状の面で構成されている。
【０００６】
【発明が解決しようとする課題】
厚生省からＨＡＣＣＰの認定を受けた工場をはじめとする、衛生面をとくに配慮した食料品工場における問題の一つに、照明器具への埃だまりの問題がある。
【０００７】
しかし、図７（ａ）〜（ｃ）に示すようなこれまでの器具では、特にメンテナンス時に着脱する部分すなわちカバー５１に埃だまりとなる水平面５４があり、メンテナンス時などのカバー５１の着脱の際に埃が振動で落下し、衛生的な作業環境を乱す恐れがある。また、図７（ｄ）（ｅ）のような外郭では表面の清掃作業が困難であり、ふき残しが発生しやすく埃たまりが残る。
【０００８】
したがって、この発明の目的は、器具のとくにメンテナンス時に着脱する部分に埃がたまりにくい照明器具を提供することである。
【０００９】
【課題を解決するための手段】
請求項１記載の照明器具は、周縁部よりカバー受け部を垂下し、下面にランプソケットを含む点灯装置を設けた器具本体と、周側部の縁部が前記カバー受け部の内側に位置して前記点灯装置の前面側を覆うように前記器具本体の下面に着脱自在に取付けられるカバーと、前記カバーを前記器具本体に取付けるつまみねじとを備え、
前記器具本体は天井に直付けする平面板により形成され、前記カバー受け部は前記器具本体の周縁部を折曲した垂下片と、前記垂下片および前記器具本体の周縁部を被覆するパッキンにより形成され、
前記点灯装置は前記平面板の下面の中央に取付けられた安定器と、前記ランプソケットとを有し、前記安定器を覆う断面山形部を形成した反射板を前記器具本体の下面に設け、前記反射板の前側で前記断面山形部の近傍に前記ランプソケットを設置し、
前記器具本体の前記カバー受け部の内側にカバー取付部を有し、前記カバー取付部に前記つまみねじをねじ込むねじ孔を有し、
前記カバーの前記周側部は、外面形状において、前記反射板の前記断面山形部、前記ランプソケットおよび前記ランプソケットに装着されたランプに近い周囲を覆う側面部と、前記側面部の上部より外向きの水平方向成分をもった面をなす段部とを有し、前記ねじ孔に対向して前記つまみねじの先端を通す取付孔を前記段部に形成し、
前記周側部の縁部が前記段部の縁部側より前記垂下片のパッキンの内側に密着嵌合するように垂直に立ち上がり、前記段部の前記縁部側が前記垂下片の先端の前記パッキンの表面にほぼ同じ高さで連続し、
前記カバーの前記周側部および前記つまみねじの後端のつまみ部が前記器具本体の鉛直投影面内にあり、かつ、前記器具本体および前記カバーからなる器具外郭の表面の外形が一つの平面を連続的に移動させることにより形成された形状となっているものである。
【００１０】
請求項１記載の照明器具によれば、落下する埃が器具本体により遮られるので着脱するカバーやつまみねじに埃たまりが生じにくくなり、メンテナンス時にカバーを着脱する際に埃が落下することがなくなり、またカバー受け部により器具内に埃が侵入しにくくなる。また、天井面の水平度の精度などにより、天井面と器具本体とが密着しなくても、同じ効果を得ることができ、衛生を維持することができる。
【００１１】
また前記カバーの前記周側部の外面形状が上方に向かうにしたがって外向きの水平方向成分をもった面で形成されているため、カバーの周側面に埃がたまりにくい形状となり、衛生により優れたものとなる。
【００１３】
さらに前記器具本体および前記カバーからなる器具外郭の表面の外形が一つの平面を連続的に移動させることにより形成された形状となっているため、器具外郭部分のふき掃除がしやすくなるので、ふき残しによる埃残りがなく、衛生さを維持することができる。
【００１５】
【発明の実施の形態】
この発明の一実施の形態を図１から図３により説明する。すなわち、この照明器具は、器具本体１と、カバー２とを有する。
【００１６】
器具本体１は、周縁部より垂下したカバー受け部３を有し、下面にランプソケット４を含む点灯装置５を設けている。実施の形態では天井直付け用であり、平面が略矩形状の金属製の板により形成され、カバー受け部３は器具本体１の周縁部を折曲した垂下片７と、垂下片７を被覆するパッキン等の外被８により形成されている。点灯装置５は器具本体１の下面に取付台６により取付けられた安定器等からなり、中央に断面山形部を形成したインバータ回路カバー兼用の反射板９が器具本体１の下面に取付けられて点灯装置５を被覆し、４個のランプソケット４を器具本体１の長手方向の両端で反射板９または直接器具本体１に取付けている。ランプソケット４にはランプ例えば２本の直管蛍光ランプ１０が装着される。また図２に示すように略コ字形のカバー取付部１１の一片を器具本体１の両端に取付け、カバー取付部１１の他片につまみねじ１２を螺合している。
【００１７】
カバー２は、周側部１３の縁部がカバー受け部３の内側に位置して、点灯装置５を覆うように器具本体１の下面に着脱自在に取付けられており、周側部１３は器具本体１の鉛直投影面Ｌ内にあるようにしている。実施の形態では、カバー２が例えば透明アクリルにより形成され、カバー２の周縁部２ａが垂直に立ち上がり、カバー受け部３の内側に嵌合している。
【００１８】
またカバー２はその周側部１３の外面の形状が上方に向かうにしたがって同一方向の外向きの水平方向成分をもった面で形成されている。実施の形態では、図２の横断面である図１において、周側部１３の中間部分に一段の段部１３ａを形成しており、側面部１３ｂは上方に向かって外向きに傾斜し、段部１３ａも周側部１３よりも大きい角度で外向きに傾斜し、かつ側面部１３ｂと下面２ｂとのなす角度Ａ1 および側面部１３ｂと段部１３ａとなす角度Ａ2 がともに鈍角になり、さらにそれぞれの面のつながる部分がそれぞれ曲面により形成されている。ただし、段部１３ａと垂直姿勢の縁部２ａとは図１に示すように直に連続して外被８と密着している。器具本体１の長手方向の断面すなわち縦断面におけるカバー２の両端部に位置する側面部の形状も、図１の側面部１３ｂの形状とほぼ同様であるが、その段部がカバー取付部１１に被さり、かつカバー取付部１１に対向する取付孔を形成しており、この取付孔を通してつまみねじ１２をカバー取付部１１の他片にねじ込み、カバー２を器具本体１に取付けている。またカバー２の外側に出たつまみねじ１２も、器具本体１の鉛直投影面の内側にあって埃がたまりにくくなるようにしている。
【００１９】
さらに、器具本体１およびカバー２からなる器具外郭は、器具本体１およびカバー２からなる器具外郭の表面の外形が、一つの平面を連続的に移動させることにより形成された形状となっている。この場合、カバー２の表面が、周側部１３を形成する４つの側面および下面２ｂからなる複数の面で構成され、かつ各周側部１３の相互は曲面で互いに連続してつながっている。
【００２０】
この実施の形態によれば、照明器具がカバー２付きであるためランプ１０が割れても飛び散らず、衛生上も好ましい。
【００２１】
また落下する埃が器具本体１により遮られるので、カバー２に埃たまりが生じにくくなり、メンテナンス時につまみねじ１２を回して着脱する際に埃が落下することがなくなり、またカバー受け部３により器具内に埃が侵入しにくくなる。また、天井面の水平度の精度などにより、天井面と器具本体１とが密着しなくても、同じ効果を得ることができ、衛生を維持することができる。
【００２２】
またカバー２の周側部１３の外面形状が上方に向かうにしたがって外向きの水平方向成分をもった面で形成されているため、カバー２の周側面に埃がたまりにくい形状となり、衛生により優れたものとなる。
【００２３】
さらに器具本体１およびカバー２からなる器具外郭の表面の外形が一つの平面を連続的に移動させることにより形成された形状となっているため、器具外郭部分のふき掃除がしやすくなるので、ふき残しによる埃残りがなく、衛生さを維持することができる。
【００２４】
外郭の表面が複数の面で構成されるときは、下面から側面および側面自体が上方向の断面形状の表面が鈍角でかつ曲面で互いに連続しているため、例えば図７（ｅ）（ｆ）と比較して、器具外郭部分のふき掃除がしやすくなり、その結果衛生さを維持することができる。
【００２５】
またカバー２の材質に透明のアクリルを使用することで、ランプイメージの問題を考慮する必要がなく、コンパクト化が実現できる。乳白のカバーにすると、ランプイメージ、ソケットの影を消すため大きめのカバーが必要となる。また側面方向へも光が透過し、天井等の取付面も照射できるため、空間の明るさ感をアップさせることができ、効率を重視できる。
【００２６】
またカバー２は乳白より透明の方が器具効率が向上し、器具台数が削減できるため、清掃の負担が軽減できる。
【００２７】
カバー２の下面に器具外側へ向かう曲面Ｒを持たせることで、またカバー２の側面に例えば一段の段部１３ａを付けることで、カバー２に腰を持たせ、ふき掃除の圧力にも耐え、カバー２が凹むことがない。これにより清掃作業の容易化が図れる。
【００２８】
カバー２の取付部を器具の両端のエンド部（非発光部分）に設けたことで、遮光することがなく、器具効率を向上させることができる。
【００２９】
このように、器具本体１が天井に密着した場合、カバー２に埃がたまりにくく、たとえカバー２に埃が付着してもふきとりやすく、食品工場向けの天井直付け照明器具等として衛生環境を考慮した明かりを提供することができる。
【００３０】
図４〜図６は他の実施の形態の各種を示す。図４（ａ）、（ｂ）はメンテナンス時に着脱する部分が、器具本体１の垂直投影面から外に出ず、その端面が器具本体１から外に出ない構造の例である。同図（ａ）は器具本体１が前記実施の形態と同様であるが、カバー２はその横断面において、カバー２の周側部がほとんどなく縁部２ａが垂直になっているのみで、他は断面円弧状の曲面になった下面２ｂにより形成されている。カバー２の縦断面においては両端部がほぼ横断面の下面２ｂの略半分の曲面形状と同程度の曲率の曲面になっている。
【００３１】
図４（ｂ）は器具本体１のカバー受け部７が溝状に形成され、その開口縁は溝幅が外側ほど漸次広がるように傾斜している。これは、カバー２の伸縮によるサイズの変化があった場合でも、対応できるようにガイドを付けたものである。またカバー２の縁部２ａはカバー受け部７に嵌合し、カバー２の周側部１３は横断面において同図（ｂ）に示すように略４５度程度に傾斜し、水平な下面２ｂ、周側部１３および垂直の縁部２ａはそれぞれ曲面で相互に連続している。
【００３２】
図５（ａ）〜（ｃ）はメンテナンス時に着脱する部分が上方に向かうにしたがって同一方向の外むきの水平方向成分を持つ面で構成されている。同図（ａ）は第１の実施の形態とほぼ同様であるが側部１３ｂの高さは低い。図５（ｂ）はカバー２の下面と傾斜した側面部が角を介してつながっている。図５（ｃ）は壁付器具に適用した例であり、器具本体１は断面Ｌ字形、カバー２は断面円弧状をなしている。図５は従来例（図７（ｃ））と異なり、カバー２の周側部１３に反対向きの水平成分がないので、埃のたまる水平面が形成されない。
【００３３】
図６（ａ）〜（ｄ）は器具外郭が一つの平面を連続的に移動させることにより形成された形状となっており、かつ外郭が複数の面で構成されるときにそれらの面が鈍角でかつ曲面により連続している。図６（ａ）は斜視図であるが、カバー２は面を連続させて形成し、周側部１３および器具本体１のカバー受け部３のコーナ部は曲面を付けている。同図（ｂ）は器具本体１のカバー受け部３が内向きに傾斜し、カバー２の縁部２ａがカバー受け部３の内側に係合するように外向きに傾斜し、段部１３ａをもつ周側部１３も全体的に外向きに傾斜している。したがって、器具本体１のカバー受け部３の表面までふき掃除がしやすくなる。図６（ｃ）は照明器具の横断面、同図（ｄ）は縦断面を示し、前記した一実施の形態とほぼ同様であるが高さが低い形状となっている。その他カバー２の周側部１３が円弧状の断面になっているものがある。
【００３４】
なお、この発明の照明器具は、天井直付け器具のほか、吊り下げ型器具、ブラケットなどに適用することができる。
【００３５】
請求項１記載の照明器具によれば、落下する埃が器具本体により遮られるので着脱するカバーやつまみねじに埃たまりが生じにくくなり、メンテナンス時にカバーを着脱する際に埃が落下することがなくなり、またカバー受け部により器具内に埃が侵入しにくくなる。また、天井面の水平度の精度などにより、天井面と器具本体とが密着しなくても、同じ効果を得ることができ、衛生を維持することができる。
【００３６】
また前記カバーの前記周側部の外面形状が上方に向かうにしたがって外向きの水平方向成分をもった面で形成されているため、カバーの周側面に埃がたまりにくい形状となり、衛生により優れたものとなる。
【００３７】
さらに前記器具本体および前記カバーからなる器具外郭の表面の外形が一つの平面を連続的に移動させることにより形成された形状となっているため、器具外郭部分のふき掃除がしやすくなるので、ふき残しによる埃残りがなく、衛生さを維持することができる。
【図面の簡単な説明】
【図１】この発明の一実施の形態の横断面図である。
【図２】その斜視図である。
【図３】その底面図である。
【図４】それぞれ別の実施の形態を示す部分断面図である。
【図５】それぞれ別の実施の形態を示す断面図である。
【図６】それぞれ別の実施の形態を示し、（ａ）はカバーの斜視図、（ｂ）〜（ｄ）は部分断面図である。
【図７】従来例を示し、（ａ）は部分断面図、（ｂ）は縦断面図、（ｃ）は部分断面図、（ｄ）および（ｅ）は斜視図、（ｆ）は（ｅ）の横断面図、（ｇ）は（ｅ）の縦断面図である。
【符号の説明】
１    器具本体
２    カバー
２ａ    周縁部
３    カバー受け部
４    ランプソケット
５    点灯装置
【図１】
0004236312.tif 000002
【図２】
0004236312.tif 000003
【図３】
0004236312.tif 000004
【図４】
0004236312.tif 000005
【図５】
0004236312.tif 000006
【図６】
0004236312.tif 000007
【図７】
0004236312.tif 000008